(57)【要約】【課題】光源に異常が発生した旨を直観的に示す。【解決手段】マイコン２４は、光源２１Ｒ，２１ＢＧ，２１Ｂにおいて異常な状態の光源である異常光源が存在するか否かを判定する。プロジェクタ１０００は、異常光源が存在する場合、光源２１Ｒ，２１ＢＧ，２１Ｂのうち異常光源以外の正常光源が出射する光を利用して、光源に異常が発生した旨を示す警告メッセージをスクリーン６０に投写する。【選択図】図１
2014059492.tif 000002
【特許請求の範囲】
【請求項１】
画面に映像を投写するプロジェクタであって、
白色光を除く複数種類の色の光を、それぞれ出射する複数の光源と、
前記複数の光源において異常な状態の光源である異常光源が存在するか否かを判定する判定部と、を備え、
前記プロジェクタは、前記異常光源が存在する場合、前記複数の光源のうち前記異常光源以外の光源である正常光源が出射する光を利用して、光源に異常が発生した旨を示す警告メッセージを前記画面に投写する
プロジェクタ。
【請求項２】
前記プロジェクタは、さらに、
光の波長を変換する波長変換素子を備え、
前記警告メッセージは、前記正常光源が出射する光を利用した単色の文字、および、該正常光源が出射する光であって、かつ該光の波長が前記波長変換素子により変換された光を利用した単色の文字の少なくとも一方により構成される
請求項１に記載のプロジェクタ。
【請求項３】
前記プロジェクタは、前記警告メッセージを前記画面に投写してから一定時間経過後に、前記正常光源を消灯させる
請求項１または２に記載のプロジェクタ。
【請求項４】
前記複数の光源の各々は、発光ダイオード、レーザーダイオード、および、有機ＥＬ（electroluminescence）素子を用いた光源のいずれかである
請求項１〜３のいずれか１項に記載のプロジェクタ。
【請求項５】
前記プロジェクタは、さらに、
ＬＥＤ（Light Emitting Diode）を含み、該ＬＥＤの光の出射パターンにより光源の状態を示すＬＥＤインジケータを備え、
前記ＬＥＤインジケータは、前記異常光源が存在する場合、光源に異常が発生した旨を示す予め定められた光の出射パターンに従って、光を出射する
請求項１〜４のいずれか１項に記載のプロジェクタ。
【発明の詳細な説明】
【技術分野】
【０００１】
本発明は、複数種類の色の光を、それぞれ出射する複数の光源を有するプロジェクタに関する。
【背景技術】
【０００２】
プロジェクタは、映像をスクリーンに投写して表示する映像表示装置である。当該映像表示装置は、光源と、ライトパイプ、ミラー、投写レンズなどの光学部品と、マイコンと、電源と、入出力回路や信号処理回路などの電気回路と、シャーシ、冷却ファンなどの機械部品とにより構成される。
【０００３】
プロジェクタの光源としては、従来、高圧水銀ランプなどのアーク放電を利用したランプが広く使用されてきた。光源に上記のランプを用いたプロジェクタでは、以下の制約により、点灯、および、消灯後のランプの再点灯に時間がかかる。制約の１つは、ランプの点灯開始から、ランプが出射する光の輝度が上がるまでに時間がかかることである。また、他の制約は、ランプの内部温度および圧力が一定以下に下がらないとランプを点灯できないことである。
【０００４】
一方、近年、ＬＥＤ（Light Emitting Diode）、レーザーダイオード（ＬＤ）といった固体光源が、プロジェクタの光源に広く採用されてきている。固体光源には、当該固体光源の点灯後すぐに輝度が最大まで上げられるという特徴、当該固体光源の消灯後すぐにでも当該固体光源の再点灯できるなどの特徴等がある。
【０００５】
また、従来のランプ光源を用いたプロジェクタでは、白色光をダイクロックミラーにより色分離したり、カラーホイールによる色の時分割をしたりして所望の色を得ていた。一方、固体光源を用いたプロジェクタでは、以下に示す様々な技術（以下、固体光源技術ともいう）により所望の色を得ている。
【０００６】
固体光源技術は、例えば、特許文献１に開示されている、単一色の固体光源の光を、特性の異なる２種類以上の波長変換素子で変調した後に、変調された光を合成する技術である。また、固体光源技術は、例えば、複数種類の色の光のうち、１色以上の光を波長変換素子で変調した後に、変調された光を合成する技術である。また、固体光源技術は、例えば、特許文献２に開示されている、３色以上の光を、変調させずに合成する技術である。
【先行技術文献】
【特許文献】
【０００７】
【特許文献１】特開２００３−２３３１２３号公報
【特許文献２】特開２００４−３２５４７７号公報
【発明の概要】
【発明が解決しようとする課題】
【０００８】
しかしながら、従来のプロジェクタでは、以下のような問題がある。
【０００９】
具体的には、高圧水銀ランプなどの単一の光源を用いた従来のプロジェクタでは、バックアップ用の光源が搭載されている場合を除き、不点灯、失灯等の異常が光源に発生した場合には映像の投写ができない。そのため、当該プロジェクタが備えるＬＥＤインジケータでユーザに異常状態を通知する。
【００１０】
また、複数色の光をそれぞれ出射する複数の光源を有するプロジェクタであっても、当該複数の光源のうちの１つ以上の光源に異常が発生し、点灯できない、あるいは点灯状態を継続できなくなった場合、正常な色での投写が不可能となる。そのため、単一の光源を用いたプロジェクタと同様、上記の複数の光源を有するプロジェクタは、異常が発生していない光源を含むすべての光源を消灯し、状態通知用のＬＥＤインジケータの点滅パターンなどでユーザに光源の異常を通知する。
【００１１】
すなわち、従来のプロジェクタは、光源に異常が発生した場合、映像の投写を行わず、当該プロジェクタに設けられたＬＥＤインジケータで、光源に異常が発生した旨を通知する。そのため、光源に異常が発生した場合、映像を視聴していたユーザは、光源に異常が発生した旨を知るためには、プロジェクタに設けられたＬＥＤインジケータをわざわざ視線を動かして見る必要がある。ＬＥＤインジケータは、例えば、異常を示す点灯パターンに従って点灯することにより、光源に異常が発生した旨を通知する。そのため、従来のプロジェクタでは、光源に異常が発生した場合、ユーザは、光源に異常が発生した旨を直観的に知ることができないという問題がある。
【００１２】
本発明は、このような問題を解決するためになされたものであり、光源に異常が発生した旨を直観的に示すことが可能なプロジェクタを提供することを目的とする。
【課題を解決するための手段】
【００１３】
上記目的を達成するために、本発明の一態様に係るプロジェクタは、画面に映像を投写する。前記プロジェクタは、白色光を除く複数種類の色の光を、それぞれ出射する複数の光源と、前記複数の光源において異常な状態の光源である異常光源が存在するか否かを判定する判定部と、を備え、前記プロジェクタは、前記異常光源が存在する場合、前記複数の光源のうち前記異常光源以外の光源である正常光源が出射する光を利用して、光源に異常が発生した旨を示す警告メッセージを前記画面に投写する。
【発明の効果】
【００１４】
本発明によれば、前記プロジェクタは、前記異常光源が存在する場合、前記複数の光源のうち前記異常光源以外の光源である正常光源が出射する光を利用して、光源に異常が発生した旨を示す警告メッセージを前記画面に投写する。
【００１５】
これにより、画面を見ているユーザは、わざわざ視線を動かことなく光源に異常が発生したことを直観的に知ることができる。すなわち、前記プロジェクタは、光源に異常が発生した旨を直観的に示すことができる。
【図面の簡単な説明】
【００１６】
【図１】本発明の実施の形態１に係るプロジェクタの構成を示すブロック図である。
【図２】光源制御処理のフローチャートである。
【図３】本発明の実施の形態２に係るプロジェクタの構成を示すブロック図である。
【図４】光源制御処理Ａのフローチャートである。
【発明を実施するための形態】
【００１７】
以下、図面を参照しつつ、本発明の実施の形態に係るプロジェクタについて説明する。以下の説明では、同一の構成要素には同一の符号を付してある。それらの名称および機能も同じである。したがって、それらについての詳細な説明を省略する場合がある。
【００１８】
＜実施の形態１＞
図１は、本発明の実施の形態１に係るプロジェクタ１０００の構成を示すブロック図である。図１は、特に、プロジェクタ１０００の光源を制御する構成を示す。プロジェクタ１０００は、固体光源を用いたプロジェクタである。
【００１９】
なお、図１には、説明のために、プロジェクタ１０００に含まれないスクリーン６０も示される。プロジェクタ１０００は、スクリーン６０に映像を投写する。すなわち、スクリーン６０は、映像が投写される画面である。
【００２０】
図１に示すように、プロジェクタ１０００は、光源２１Ｒ，２１ＢＧ，２１Ｂと、ダイクロックミラー５Ｒ，５Ｂと、ミラー７と、光センサ８と、ＤＭＤ（Digital Micromirror Device）９と、投写レンズ３０と、蛍光体ホイール１０と、ＤＭＤ駆動部１１と、蛍光体ホイール駆動部１２と、マイコン（マイクロコンピュータ）２４と、ＬＥＤインジケータ５０とを備える。
【００２１】
光源２１Ｒ，２１ＢＧ，２１Ｂの各々は、固体光源である。光源２１Ｒ，２１ＢＧ，２１Ｂの各々は、発光ダイオード（ＬＥＤ）である。なお、光源２１Ｒ，２１ＢＧ，２１Ｂの各々は、発光ダイオードに限定されず、例えば、レーザーダイオード、有機ＥＬ（electroluminescence）素子を用いた光源であってもよい。すなわち、光源２１Ｒ，２１ＢＧ，２１Ｂの各々は、発光ダイオード、レーザーダイオード、および、有機ＥＬ素子を用いた光源のいずれかである。
【００２２】
光源２１Ｒは、赤色光を出射（出力）する。以下においては、光源２１Ｒを、赤色光源ともいう。光源２１ＢＧ，２１Ｂの各々は、青色光を出射（出力）する。以下においては、光源２１ＢＧおよび光源２１Ｂを、それぞれ、第１青色光源および第２青色光源ともいう。光源２１Ｒ，２１ＢＧ，２１Ｂは、白色光を除く複数種類の色の光を、それぞれ出射する。
【００２３】
ダイクロックミラー５Ｂは、青色光を透過させ、それ以外の光を反射させる。ダイクロックミラー５Ｒは、赤色光を透過させ、それ以外の光を反射させる。ミラー７は、全ての光を反射させる。光センサ８は、光の強度（輝度）を検出する。ＤＭＤ９は、ＤＭＤ駆動部１１の制御により、駆動する。投写レンズ３０は、当該投写レンズ３０に入射された光を出力する。
【００２４】
蛍光体ホイール１０は、当該蛍光体ホイール１０に照射された光の波長を変換する波長変換素子である。ＤＭＤ駆動部１１は、ＤＭＤ９を駆動させる。蛍光体ホイール駆動部１２は、蛍光体ホイール１０を駆動させる。
【００２５】
ＬＥＤインジケータ５０は、光を出射する、図示しない１つ以上のＬＥＤ５１を含む。ＬＥＤインジケータ５０は、詳細は後述するが、ＬＥＤ５１の光の出射パターンにより光源の状態を示す。
【００２６】
マイコン２４は、光源２１Ｒ，２１ＢＧ，２１Ｂ、ＤＭＤ駆動部１１、蛍光体ホイール駆動部１２およびＬＥＤインジケータ５０を制御する。また、マイコン２４は、光センサ８の監視（制御）を行う。マイコン２４は、光センサ８が検出した情報を随時、光センサ８から受信する（読み出す）制御を行う。
【００２７】
なお、プロジェクタ１０００は、図示しない電源（以下、プロジェクタ電源ともいう）を備える。プロジェクタ電源は、プロジェクタ１０００に含まれる、電力で動作する各部（例えば、光源２１Ｒ，２１ＢＧ，２１Ｂ等）へ電力を供給する。マイコン２４は、プロジェクタ電源の制御も行う。
【００２８】
また、プロジェクタ１０００は、動作状態として、通常状態と、スタンバイ状態とを有する。通常状態は、プロジェクタ１０００が映像を投写している状態である。スタンバイ状態は、プロジェクタ１０００（光源）が光を出射しない状態、すなわち、プロジェクタ１０００が映像を投写しない状態である。マイコン２４は、プロジェクタ１０００の動作状態の制御も行う。
【００２９】
次に、プロジェクタ１０００における光の経路について説明する。
【００３０】
光源２１Ｒが出射した赤色光は、ダイクロックミラー５Ｒを透過して、ミラー７で反射して、ＤＭＤ９に照射される。また、光源２１Ｂが出射した青色光は、ダイクロックミラー５Ｂを透過して、ダイクロックミラー５Ｒおよびミラー７で反射して、ＤＭＤ９に照射される。また、光源２１ＢＧが出射した青色光は、ダイクロックミラー５Ｂを透過して、蛍光体ホイール１０に照射される。
【００３１】
蛍光体ホイール１０は、照射された青色光の波長を、緑色光の波長に変換する波長変換を行う。これにより、蛍光体ホイール１０から緑色光が出力される。当該緑色光は、ダイクロックミラー５Ｂ，５Ｒおよびミラー７で反射して、ＤＭＤ９に照射される。
【００３２】
マイコン２４は、赤色光、前述の緑色光、および、青色光が、ＤＭＤ９に順次照射されるように、光源２１Ｒ，２１ＢＧ，２１Ｂを制御する。ＤＭＤ９は、ＤＭＤ駆動部１１の制御に従って、照射された光を強度変調し、変調後の光を、投写レンズ３０へ導く。当該変調後の光は、映像を構成する光である。投写レンズ３０は、当該投写レンズ３０に入射された光を、スクリーン６０へ導く。
【００３３】
以上の動作により、赤色光、緑色光および青色光は、非常に短い時間間隔で、スクリーン６０に順次照射される。そのため、スクリーン６０を視るユーザは、赤色光、緑色光および青色光が合成された光がスクリーン６０に照射されているように見える。すなわち、ユーザは、スクリーン６０において、赤、緑、青が混色された色が見える。これにより、スクリーン６０に映像が表示される。
【００３４】
次に、プロジェクタ１０００の光源を制御するための処理（以下、光源制御処理ともいう）について説明する。詳細は後述するが、プロジェクタ１０００のマイコン２４は、光源２１Ｒ，２１ＢＧ，２１Ｂのいずれかが出射（出力）する光の強度（以下、光出力Ｐともいう）が閾値ＰＴ以下であった場合、光出力Ｐが閾値ＰＴ以下である光源が異常状態であると判定（判断）する。以下においては、光出力Ｐを、単に、光出力とも表記する。本明細書において、光出力は、光の強度、すなわち、光の輝度である。例えば、光源２１Ｒの光出力とは、光源２１Ｒが出射する光の輝度（強度）である。
【００３５】
以下においては、光源２１Ｒ，２１ＢＧ，２１Ｂの各々を、単に、光源２１ともいう。ここで、閾値ＰＴは、光源２１を、プロジェクタの製品寿命時間だけ点灯させた場合において想定される、光源２１の光出力より十分に小さい値である。プロジェクタの製品寿命時間とは、例えば、当該プロジェクタの使用を開始してから、当該プロジェクタが出射する光が、映像を構成するための十分な輝度を有さなくなるまでの時間である。
【００３６】
以下においては、光出力が閾値ＰＴ以下の光源を、異常光源ともいう。すなわち、異常光源は、閾値ＰＴ以下の輝度の光を出力する光源、失灯した光源、または、点灯不能な光源である。また、以下においては、赤色光に対応する閾値ＰＴを、閾値ＰＴ（ｒ）とも表記する。また、以下においては、緑色光に対応する閾値ＰＴを、閾値ＰＴ（ｇ）とも表記する。また、以下においては、青色光に対応する閾値ＰＴを、閾値ＰＴ（ｂ）とも表記する。
【００３７】
また、以下においては、赤色光の強度（光出力Ｐ）を、光出力Ｐ（ｒ）とも表記する。また、以下においては、緑色光の強度（光出力Ｐ）を、光出力Ｐ（ｇ）とも表記する。また、以下においては、青色光の強度（光出力Ｐ）を、光出力Ｐ（ｂ）とも表記する。
【００３８】
また、詳細は後述するが、プロジェクタ１０００（マイコン２４）は、光源の状態が異常状態であると判定した場合、当該光源を消灯するように、当該光源の制御信号を設定する。また、プロジェクタ１０００は、複数の光源２１の光出力が閾値ＰＴ以下である場合は、当該光源すべてを消灯するように制御信号を設定する。また、プロジェクタ１０００は、１つ以上の光源を異常状態として消灯し、かつ、消灯していない光源が１つ以上存在する場合、消灯していない光源のみで投写を継続するように構成される。
【００３９】
本実施の形態では、ミラー７において生じる漏れ光が、光センサ８に照射される構成とする。漏れ光とは、ミラー７に照射された光のうち、ミラー７により反射されなかった光である。光センサ８は、漏れ光の強度（輝度）を随時検出する。すなわち、光センサ８は、光源の点灯状態を検出する。
【００４０】
光出力の検出は以下のようにして行われる。まず、光センサ８は、照射された漏れ光の強度の大きさに比例した周波数を有する矩形波を、マイコン２４へ随時送信（出力）する。
【００４１】
また、当該矩形波の周波数は、例えば、漏れ光の強度が大きい程、大きい値を示す。マイコン２４は、受信した矩形波の周波数に対応する光の強度（光出力）を、係数Ｋを用いて算出する。係数Ｋは、ミラー７に照射されている光の強度（光出力）を算出するための係数である。光センサ８が送信（出力）する矩形波の周波数は、例えば、ミラー７に照射されている光の強度の１／Ｋの周波数である。
【００４２】
ここで、例えば、ミラー７に照射されている光の強度に対する、ミラー７において生じる漏れ光の強度の割合が１／２０であるとする。この場合、係数Ｋは、２０である。
【００４３】
マイコン２４は、受信した矩形波の周波数に、係数Ｋを乗算することにより、光出力を算出する。すなわち、マイコン２４は、（矩形波の周波数×係数Ｋ）の式（以下、式Ａという）により光出力を算出する。以上により光出力が検出（算出）される。
【００４４】
なお、光出力の検出方法は、上記に限定されない。例えば、光センサ８は、漏れ光の強度に係数Ｋを乗算して得られる強度（光出力）を示す情報を、マイコン２４へ送信してもよい。これにより、マイコン２４は、光出力を検出する。
【００４５】
次に、光源制御処理の詳細について説明する。図２は、光源制御処理のフローチャートである。以下に、本フローチャートの動作を説明する。
【００４６】
ステップＳ１１では、マイコン２４が、光源２１ＢＧ，２１Ｂを消灯させるとともに、光源２１Ｒ（赤色光源）のみを点灯させる。
【００４７】
なお、光源２１Ｒ（赤色光源）のみが点灯している期間においては、光センサ８は、ミラー７において生じる、赤色光に対応する漏れ光の強度を随時検出する。この場合、光センサ８は、前述したように、漏れ光の強度に比例した周波数を有する矩形波を、マイコン２４へ随時送信する。
【００４８】
そして、マイコン２４は、光源２１Ｒ（赤色光源）のみが点灯している期間において光センサ８から受信した矩形波の周波数と係数Ｋとを用いて、例えば、前述の式Ａより、光出力Ｐ（ｒ）を算出する。
【００４９】
そして、マイコン２４は、光出力Ｐ（ｒ）が閾値ＰＴ（ｒ）以下であるか否かを判定する。すなわち、マイコン２４は、光源２１Ｒ（赤色光源）が異常光源であるか否かを判定する。ステップＳ１１において、ＹＥＳならば処理はステップＳ１２に移行する。一方、ステップＳ１１において、ＮＯならば処理はステップＳ１３に移行する。
【００５０】
ステップＳ１２では、マイコン２４が、光源２１Ｒ（赤色光源）を消灯させる。そして、処理はステップＳ１３に移行する。
【００５１】
ステップＳ１１，Ｓ１２の処理により、マイコン２４は、光出力Ｐ（ｒ）が閾値ＰＴ（ｒ）以下に低下した場合、光源２１Ｒ（赤色光源）の状態が異常状態であると判断して、光源２１Ｒを消灯するように制御信号を設定する。
【００５２】
ステップＳ１３では、マイコン２４が、光源２１Ｒ，２１Ｂを消灯させるとともに、光源２１ＢＧ（第１青色光源）のみを点灯させる。光源２１ＢＧ（第１青色光源）のみが点灯している場合、ミラー７には、蛍光体ホイール１０による波長変換により生じる緑色光が照射される。
【００５３】
そして、マイコン２４は、光源２１ＢＧ（第１青色光源）のみが点灯している期間において光センサ８から受信した矩形波の周波数と係数Ｋとを用いて、例えば、前述の式Ａより、光出力Ｐ（ｇ）を算出する。
【００５４】
そして、マイコン２４は、光出力Ｐ（ｇ）が閾値ＰＴ（ｇ）以下であるか否かを判定する。すなわち、マイコン２４は、光源２１ＢＧ（第１青色光源）が異常光源であるか否かを判定する。ステップＳ１３において、ＹＥＳならば処理はステップＳ１４に移行する。一方、ステップＳ１３において、ＮＯならば処理はステップＳ１５に移行する。
【００５５】
ステップＳ１４では、マイコン２４が、光源２１ＢＧ（第１青色光源）を消灯させる。そして、処理はステップＳ１５に移行する。
【００５６】
ステップＳ１３，Ｓ１４の処理により、マイコン２４は、光出力Ｐ（ｇ）が閾値ＰＴ（ｇ）以下に低下した場合、光源２１ＢＧ（第１青色光源）の状態が異常状態であると判断して、光源２１ＢＧを消灯するように制御信号を設定する。
【００５７】
ステップＳ１５では、マイコン２４が、光源２１Ｒ，２１ＢＧを消灯させるとともに、光源２１Ｂ（第２青色光源）のみを点灯させる。光源２１Ｂ（第２青色光源）のみが点灯している場合、ミラー７には、光源２１Ｂが出射する青色光のみが照射される。
【００５８】
そして、マイコン２４は、光源２１Ｂ（第２青色光源）のみが点灯している期間において光センサ８から受信した矩形波の周波数と係数Ｋとを用いて、例えば、前述の式Ａより、光出力Ｐ（ｂ）を算出する。
【００５９】
そして、マイコン２４は、光出力Ｐ（ｂ）が閾値ＰＴ（ｂ）以下であるか否かを判定する。すなわち、マイコン２４は、光源２１Ｂ（第２青色光源）が異常光源であるか否かを判定する。ステップＳ１５において、ＹＥＳならば処理はステップＳ１６に移行する。一方、ステップＳ１５において、ＮＯならば処理はステップＳ２０に移行する。
【００６０】
ステップＳ１６では、マイコン２４が、光源２１Ｂ（第２青色光源）を消灯させる。そして、処理はステップＳ２０に移行する。
【００６１】
ステップＳ１５，Ｓ１６の処理により、マイコン２４は、光出力Ｐ（ｂ）が閾値ＰＴ（ｂ）以下に低下した場合、光源２１Ｂ（第２青色光源）の状態が異常状態であると判断して、光源２１Ｂを消灯するように制御信号を設定する。
【００６２】
上記のステップＳ１１，Ｓ１３，Ｓ１５の各々では、マイコン２４は、複数の光源において異常な状態の光源である異常光源が存在するか否かを判定する。すなわち、マイコン２４は、異常光源が存在するか否かを判定する判定部である。また、ステップＳ１１〜Ｓ１６により、マイコン２４は、必要に応じて消灯設定を行う。
【００６３】
なお、光センサ８が、漏れ光の強度に係数Ｋを乗算して得られる強度（光出力）を示す情報を、マイコン２４へ送信する構成とした場合、ステップＳ１１，１３，１５の各々では、光出力を算出する処理は行われない。この場合、ステップＳ１１，１３，１５の各々では、マイコン２４が受信する光出力を、閾値と比較する。
【００６４】
マイコン２４は、各光源の光出力を確認した後、消灯中の光源（異常光源）の数を確認する（ステップＳ２０）。ここで、上記の消灯中の光源は、消灯設定された光源である。
【００６５】
以下においては、プロジェクタ１０００に含まれる光源２１Ｒ，２１ＢＧ，２１Ｂのうち異常光源以外の光源を、正常光源ともいう。すなわち、正常光源は、正常に点灯している光源である。
【００６６】
異常光源（消灯中の光源）の数が、１または２である場合、処理はステップＳ２１に移行する。ステップＳ２１の処理が行われる場合は、異常光源および正常光源が存在する場合である。
【００６７】
異常光源の数が０である場合、処理はステップＳ２２に移行する。異常光源の数が３である場合、処理はステップＳ２３に移行する。
【００６８】
ステップＳ２１では、プロジェクタ１０００が、正常光源が出射する光を利用して、スクリーン６０（画面）に警告メッセージを投写する。警告メッセージは、光源に異常が発生した旨を示すメッセージである。警告メッセージは、例えば、「光源に異常が発生しています」というメッセージである。なお、警告メッセージは、オンスクリーンディスプレイ（ＯＳＤ）により、スクリーン６０に投写（表示）される。これにより、スクリーン６０（画面）に表示されている映像に重ねて、警告メッセージが表示される。すなわち、スクリーン６０（画面）に警告メッセージが表示される。
【００６９】
具体的には、マイコン２４が、正常光源が出射する光を利用して、スクリーン６０（画面）に警告メッセージを投写するよう、ＤＭＤ駆動部１１および全ての正常光源を制御する。ＤＭＤ駆動部１１は、マイコン２４の制御に応じて、正常光源からの光の出射に応じてＤＭＤ９に光が照射されるタイミングに、警告メッセージを示す（通知する）映像をＤＭＤ９に生成させる。
【００７０】
これにより、単色の色（例えば、赤色）の警告メッセージを示す映像が、スクリーン６０に投写（表示）される。なお、正常光源が２つ存在する場合、スクリーン６０に投写される警告メッセージは、２種類の色（例えば、赤色、緑色）の警告メッセージがスクリーン６０に順次照射されることにより構成される。
【００７１】
そして、プロジェクタ１０００の電源オンの状態が継続される（ステップＳ２２）。すなわち、マイコン２４は、正常光源に対し、消灯させる制御を行わない。これにより、プロジェクタ１０００は、映像の投写を継続する。そして、この光源制御処理は終了する。
【００７２】
なお、ステップＳ１１〜Ｓ１６の処理により、消灯された光源の数（異常光源の数）が０である場合、前述のように、プロジェクタ１０００の電源オンの状態が継続され、映像の投写が継続される（ステップＳ２２）。
【００７３】
また、ステップＳ１１〜Ｓ１６の処理により、異常光源の数が３である場合、すなわち、全ての光源（光源２１Ｒ，２１ＢＧ，２１Ｂ）が消灯された場合、マイコン２４は、プロジェクタ１０００の動作状態を、前述のスタンバイ状態に設定する（ステップＳ２３）。そして、この光源制御処理は終了する。
【００７４】
ここで、一例として、光源２１Ｂ（第２青色光源）のみが異常光源であるとする。この場合、ステップＳ２１の処理により、スクリーン６０に投写される警告メッセージは、光源２１Ｒ（正常光源）が出射する赤色光を利用した赤色の文字、および、蛍光体ホイール１０から出力される緑色光を利用した緑色の文字により構成される。当該蛍光体ホイール１０から出力される緑色光は、光源２１ＢＧ（正常光源）が出射する光であって、かつ該光の波長が蛍光体ホイール１０（波長変換素子）により変換された光である。
【００７５】
また、他の例として、光源２１Ｒおよび光源２１ＢＧが異常光源であるとする。この場合、ステップＳ２１の処理により、スクリーン６０に投写される警告メッセージは、光源２１Ｂが出射する青色光を利用した青色の文字により構成される。
【００７６】
すなわち、警告メッセージは、正常光源が出射する光を利用した単色の文字、および、該正常光源が出射する光であって、かつ該光の波長が波長変換素子（蛍光体ホイール１０）により変換された光を利用した単色の文字の少なくとも一方により構成される。
【００７７】
ここで、スクリーン６０に投写される警告メッセージが、例えば、緑色の文字のみにより構成されるとする。この場合、ユーザは、光源２１Ｒおよび光源２１Ｂに異常が発生しているかを直観的に知ることができる。すなわち、プロジェクタ１０００は、どの色の光を出射する光源に異常が発生しているのかも直観的に示すことができる。
【００７８】
なお、前述のステップＳ２１の処理が行われるとともに、ＬＥＤインジケータ５０は、異常光源が存在する場合、以下の光通知処理を行ってもよい。
【００７９】
光通知処理では、ＬＥＤインジケータ５０は、光源に異常が発生した旨を示す予め定められた光の出射パターンに従って、光を出射する。予め定められた光の出射パターンとは、消灯していたＬＥＤ５１を点灯させる点灯パターン、所定時間経過毎に光を出射する点滅パターン等である。すなわち、ＬＥＤインジケータ５０は、光源に異常が発生した際には、光の出射パターンを、光源が正常である時とは異なる点灯パターンまたは点滅パターンに変える。
【００８０】
以下、例をあげて、具体的に説明する。ここで、光源に異常が発生した旨を示す光の出射パターンは、一例として、２秒間隔で光を点滅させる点滅パターンであるとする。この場合、ＬＥＤインジケータ５０のＬＥＤ５１は、２秒間隔で、光を出射する。すなわち、ＬＥＤインジケータ５０のＬＥＤは、２秒間隔で、点滅する。
【００８１】
これにより、ユーザに光源に異常が発生した旨を視覚的に通知することができる。また、上記警告メッセージに加え、ＬＥＤインジケータ５０を利用することで、より確実に、ユーザに光源に異常が発生した旨を通知することができる。
【００８２】
以上説明したように、本実施の形態によれば、プロジェクタ１０００は、異常光源が存在する場合、光源２１Ｒ，２１ＢＧ，２１Ｂのうち異常光源以外の正常光源が出射する光を利用して、光源に異常が発生した旨を示す警告メッセージをスクリーン６０（画面）に投写する。
【００８３】
これにより、スクリーン６０（画面）を見ているユーザは、わざわざ視線を動かすことなく光源に異常が発生したことを直観的に知ることができる。すなわち、プロジェクタ１０００は、光源に異常が発生した旨を直観的に示すことができる。異常光源は、前述したように、閾値ＰＴ以下の輝度の光を出力する光源、または、点灯不能な光源である。
【００８４】
また、言い換えれば、本実施の形態のプロジェクタ１０００は、光源に異常が生じた場合においても、残りの正常に動作している光源を消灯せず、投写を継続する。また、プロジェクタ１０００は、光源に異常が発生したことを通知する警告メッセージなどを、投写画面上に表示する。そのため、プロジェクタの異常状態をより直観的に示すことができる。
【００８５】
なお、水銀ランプなどの白色光源を備え、かつ予備の光源を持たない従来のプロジェクタにおいては、光源の失灯や不点灯などが発生した場合、映像投写ができない。そのため、当該従来のプロジェクタは、スタンバイ状態に遷移する。また、複数色の光を出射する複数の光源を備えた従来のプロジェクタも、いずれかの光源が不点灯、失灯などの異常状態になった場合、白色光源の場合同様、スタンバイ状態に遷移する。そのため、当該従来のプロジェクタでは、映像表示が継続できず、突然スタンバイ状態に遷移した原因の把握がしにくいという問題がある。
【００８６】
しかしながら、本実施の形態のプロジェクタ１０００は、以下の構成を有する。すなわち、プロジェクタ１０００は、複数色の光をそれぞれ出射する複数の光源を備える。プロジェクタ１０００は、当該複数の光源のうちの１つ以上の光源が、失灯または不点灯などの異常状態になった場合においても、正常光源が１つ以上存在する限り、映像表示を継続し、スクリーン６０（画面）に、光源の異常が発生したことを通知する警告メッセージを表示する。したがって、本実施の形態のプロジェクタ１０００は、上記問題を解決することができる。
【００８７】
＜実施の形態２＞
図３は、本発明の実施の形態２に係るプロジェクタ１０００Ａの構成を示すブロック図である。プロジェクタ１０００Ａは、固体光源を用いたプロジェクタである。
【００８８】
図３に示すように、プロジェクタ１０００Ａは、図１のプロジェクタ１０００と比較して、光源２１ＢＧの代わりに光源２１Ｇを備える点と、ダイクロックミラー５Ｒ，５Ｂの代わりに光学フィルタ２５Ｒ，２５Ｇ，２５Ｂを備える点と、光センサ８の代わりに光センサ２８Ｒ，２８Ｇ，２８Ｂを備える点と、ミラー７の代わりにミラー３１Ｒ，３１Ｂを備える点と、ＤＭＤ９の代わりにＬＣＤブロック４０を備える点とが異なる。また、プロジェクタ１０００Ａは、プロジェクタ１０００と比較して、ＤＭＤ駆動部１１および蛍光体ホイール駆動部１２を備えない点が異なる。
【００８９】
上記以外のプロジェクタ１０００Ａの構成は、プロジェクタ１０００と同様なので詳細な説明は繰り返さない。
【００９０】
光源２１Ｇは、前述の光源２１Ｒと同様、固体光源である。光源２１Ｇは、発光ダイオードである。なお、光源２１Ｇは、発光ダイオードに限定されず、例えば、レーザーダイオード、有機ＥＬ素子を用いた光源であってもよい。すなわち、光源２１Ｇは、発光ダイオード、レーザーダイオード、および、有機ＥＬ素子を用いた光源のいずれかである。光源２１Ｇは、緑色光を出射（出力）する。以下においては、光源２１Ｇを、緑色光源ともいう。また、本実施の形態では、光源２１Ｂを、青色光源ともいう。
【００９１】
光学フィルタ２５Ｒ，２５Ｇ，２５Ｂの各々は、特定の波長の色の光を透過させるフィルタである。光学フィルタ２５Ｒ，２５Ｇ，２５Ｂは、それぞれ、赤色光、緑色光および青色光を透過させる。ミラー３１Ｒ，３１Ｂは、光を反射させる。
【００９２】
光センサ２８Ｒ，２８Ｇ，２８Ｂの各々は、光センサ８と同様に、光の強度（輝度）を検出する。光センサ２８Ｒ，２８Ｇ，２８Ｂは、それぞれ、光学フィルタ２５Ｒ，２５Ｇ，２５Ｂに取り付けられる。
【００９３】
ＬＣＤブロック４０は、該ＬＣＤブロック４０に複数の光が入射される場合、該複数の光にそれぞれ対応する複数の映像を生成し、当該複数の映像を合成した映像の光を出射する。以下においては、ＬＣＤブロック４０により合成された映像の光を、合成光ともいう。
【００９４】
ＬＣＤブロック４０は、レンズ４１Ｒ，４１Ｇ，４１Ｂと、映像パネル４２Ｒ，４２Ｇ，４２Ｂと、合成部４３とを含む。
【００９５】
レンズ４１Ｒ，４１Ｇ，４１Ｂの各々は、光を透過させる。映像パネル４２Ｒ，４２Ｇ，４２Ｂの各々は、マイコン２４による制御に従って動作する。映像パネル４２Ｒ，４２Ｇ，４２Ｂの各々は、入射される光を用いて映像を生成し、生成した当該映像の光を、合成部４３へ照射する。以下においては、映像パネル４２Ｒ，４２Ｇ，４２Ｂの各々を、単に、映像パネル４２ともいう。
【００９６】
合成部４３は、複数の映像の光が照射される場合、当該複数の映像を合成し、合成された映像の光（合成光）を出射する。
【００９７】
プロジェクタ１０００Ａのマイコン２４は、プロジェクタ１０００のマイコン２４と比較して、ＤＭＤ駆動部１１および蛍光体ホイール駆動部１２を制御しない点が異なる。それ以外の処理は、プロジェクタ１０００のマイコン２４と同様な処理を行うので詳細な説明は繰り返さない。
【００９８】
なお、プロジェクタ１０００Ａのマイコン２４は、映像パネル４２Ｒ，４２Ｇ，４２Ｂの制御も行う。
【００９９】
次に、プロジェクタ１０００Ａにおける光の経路について説明する。光源２１Ｒが出射した赤色光は、光学フィルタ２５Ｒを透過して、ミラー３１Ｒで反射して、ＬＣＤブロック４０（レンズ４１Ｒ）に入射する。光源２１Ｇが出射した緑色光は、光学フィルタ２５Ｇを透過して、ＬＣＤブロック４０（レンズ４１Ｇ）に入射する。光源２１Ｂが出射した青色光は、光学フィルタ２５Ｂを透過して、ミラー３１Ｂで反射して、ＬＣＤブロック４０（レンズ４１Ｂ）に入射する。
【０１００】
ＬＣＤブロック４０においては、以下の処理が行われる。まず、該ＬＣＤブロック４０に赤色光、緑色光および青色光が入射された場合の処理について説明する。この場合、レンズ４１Ｒは、赤色光を映像パネル４２Ｒに導く。レンズ４１Ｇは、緑色光を映像パネル４２Ｇに導く。レンズ４１Ｂは、青色光を映像パネル４２Ｂに導く。
【０１０１】
映像パネル４２Ｒ，４２Ｇ，４２Ｂの各々は、前述したように、入射される光を用いて映像を生成する。生成された当該映像の光は合成部４３へ照射される。合成部４３は、複数の映像の光が照射される場合、当該複数の映像を合成する。当該複数の映像は、例えば、赤色、緑色および青色の映像である。そして、合成部４３は、合成された映像の光（合成光）を、投写レンズ３０へ導く。
【０１０２】
なお、合成部４３は、単色の光の映像が入射された場合、当該映像の光を、投写レンズ３０へ導く。投写レンズ３０は、当該投写レンズ３０に入射された光を、スクリーン６０へ導く。以上の動作により、スクリーン６０に映像が表示される。
【０１０３】
次に、プロジェクタ１０００Ａの光源を制御するための処理（以下、光源制御処理Ａともいう）について説明する。詳細は後述するが、プロジェクタ１０００Ａは、光源２１Ｒ，２１Ｇ，２１Ｂのいずれかが出射（出力）する光の強度（光出力Ｐ）が閾値ＰＴ以下であった場合、光出力Ｐが閾値ＰＴ以下である光源が異常状態であると判定（判断）する。閾値ＰＴは、実施の形態１で説明した値である。以下においては、光源２１Ｇを、単に、光源２１ともいう。
【０１０４】
また、詳細は後述するが、プロジェクタ１０００Ａ（マイコン２４）は、光源の状態が異常状態であると判定した場合、当該光源を消灯するように、当該光源の制御信号を設定する。また、プロジェクタ１０００Ａは、複数の光源２１の光出力が閾値ＰＴ以下である場合は、当該光源すべてを消灯するように制御信号を設定する。また、プロジェクタ１０００Ａは、１つ以上の光源を異常状態として消灯し、かつ、消灯していない光源が１つ以上存在する場合、消灯していない光源のみで投写を継続するように構成される。
【０１０５】
本実施の形態では、光源２１Ｒ（赤色光源）の光出力Ｐ（ｒ）を光学フィルタ２５Ｒに取り付けた光センサ２８Ｒで随時検出する。また、光源２１Ｇ（緑色光源）の光出力Ｐ（ｇ）を光学フィルタ２５Ｇに取り付けた光センサ２８Ｇで随時検出する。また、光源２１Ｂ（青色光源）の光出力Ｐ（ｂ）を光学フィルタ２５Ｂに取り付けた光センサ２８Ｂで随時検出する。
【０１０６】
光センサ２８Ｒ，２８Ｇ，２８Ｂの各々は、検出した光出力（光の強度）を、マイコン２４へ随時送信する。
【０１０７】
なお、光の検出方法は、上記に限定されず、例えば、実施の形態１で示した方法であってもよい。
【０１０８】
次に、光源制御処理Ａの詳細について説明する。図４は、光源制御処理Ａのフローチャートである。以下に、本フローチャートの動作を説明する。図４において、図２のステップ番号と同じステップ番号の処理は、実施の形態１で説明した処理と同様な処理が行われるので詳細な説明は繰り返さない。以下、実施の形態１と異なる点を中心に説明する。
【０１０９】
ステップＳ１１Ａでは、マイコン２４が、光源２１Ｇ，２１Ｂを消灯させるとともに、光源２１Ｒ（赤色光源）のみを点灯させる。なお、光源２１Ｒ（赤色光源）のみが点灯している期間においては、光センサ２８Ｒは、光出力Ｐ（ｒ）（赤色光の強度）を随時検出し、当該光出力Ｐ（ｒ）を、マイコン２４へ随時送信する。すなわち、マイコン２４は、光出力Ｐ（ｒ）を、随時受信する。つまり、マイコン２４は、光センサ２８Ｒの出力を読み出す。
【０１１０】
そして、マイコン２４は、光出力Ｐ（ｒ）が閾値ＰＴ（ｒ）以下であるか否かを判定する。すなわち、マイコン２４は、光源２１Ｒ（赤色光源）が異常光源であるか否かを判定する。ステップＳ１１Ａにおいて、ＹＥＳならば処理はステップＳ１２に移行する。一方、ステップＳ１１Ａにおいて、ＮＯならば処理はステップＳ１３Ａに移行する。
【０１１１】
ステップＳ１２では、実施の形態１と同様な処理が行われる。これにより、光源２１Ｒ（赤色光源）が消灯する。
【０１１２】
ステップＳ１１Ａ，Ｓ１２の処理により、マイコン２４は、光出力Ｐ（ｒ）が閾値ＰＴ（ｒ）以下に低下した場合、光源２１Ｒ（赤色光源）の状態が異常状態であると判断して、光源２１Ｒを消灯するように制御信号を設定する。
【０１１３】
ステップＳ１３Ａでは、マイコン２４が、光源２１Ｒ，２１Ｂを消灯させるとともに、光源２１Ｇ（緑色光源）のみを点灯させる。光源２１Ｇ（緑色光源）のみが点灯している期間においては、光センサ２８Ｇは、光出力Ｐ（ｇ）（緑色光の強度）を随時検出し、当該光出力Ｐ（ｇ）を、マイコン２４へ随時送信する。すなわち、マイコン２４は、光出力Ｐ（ｇ）を、随時受信する。つまり、マイコン２４は、光センサ２８Ｇの出力値を読み出す。
【０１１４】
そして、マイコン２４は、光出力Ｐ（ｇ）が閾値ＰＴ（ｇ）以下であるか否かを判定する。すなわち、マイコン２４は、光源２１Ｇ（緑色光源）が異常光源であるか否かを判定する。ステップＳ１３Ａにおいて、ＹＥＳならば処理はステップＳ１４Ａに移行する。一方、ステップＳ１３Ａにおいて、ＮＯならば処理はステップＳ１５Ａに移行する。
【０１１５】
ステップＳ１４Ａでは、マイコン２４が、光源２１Ｇ（緑色光源）を消灯させる。そして、処理はステップＳ１５Ａに移行する。
【０１１６】
ステップＳ１３Ａ，Ｓ１４Ａの処理により、マイコン２４は、光出力Ｐ（ｇ）が閾値ＰＴ（ｇ）以下に低下した場合、光源２１Ｇ（緑色光源）の状態が異常状態であると判断して、光源２１Ｇを消灯するように制御信号を設定する。
【０１１７】
ステップＳ１５Ａでは、マイコン２４が、光源２１Ｒ，２１Ｇを消灯させるとともに、光源２１Ｂ（青色光源）のみを点灯させる。光源２１Ｂ（青色光源）のみが点灯している期間においては、光センサ２８Ｂは、光出力Ｐ（ｂ）（青色光の強度）を随時検出し、当該光出力Ｐ（ｂ）を、マイコン２４へ随時送信する。
【０１１８】
そして、マイコン２４は、光出力Ｐ（ｂ）が閾値ＰＴ（ｂ）以下であるか否かを判定する。すなわち、マイコン２４は、光源２１Ｂ（青色光源）が異常光源であるか否かを判定する。ステップＳ１５Ａにおいて、ＹＥＳならば処理はステップＳ１６Ａに移行する。一方、ステップＳ１５Ａにおいて、ＮＯならば処理はステップＳ２０に移行する。
【０１１９】
ステップＳ１６Ａでは、マイコン２４が、光源２１Ｂ（青色光源）を消灯させる。そして、処理はステップＳ２０に移行する。
【０１２０】
ステップＳ１５Ａ，Ｓ１６Ａの処理により、マイコン２４は、光出力Ｐ（ｂ）が閾値ＰＴ（ｂ）以下に低下した場合、光源２１Ｂ（青色光源）の状態が異常状態であると判断して、光源２１Ｂを消灯するように制御信号を設定する。
【０１２１】
上記のステップＳ１１Ａ，Ｓ１３Ａ，Ｓ１５Ａの各々では、マイコン２４は、複数の光源において異常な状態の光源である異常光源が存在するか否かを判定する。すなわち、マイコン２４は、異常光源が存在するか否かを判定する判定部である。また、ステップＳ１１Ａ〜Ｓ１６Ａにより、マイコン２４は、必要に応じて消灯設定を行う。
【０１２２】
なお、実施の形態２では、各光源に対し光センサを備えている。そのため、ステップＳ１１Ａ，Ｓ１３Ａ，Ｓ１５Ａの処理、および、ステップＳ１２、ステップＳ１４Ａ、ステップＳ１６Ａの処理はそれぞれ並行してもよい。
【０１２３】
また、ステップＳ１１Ａ，Ｓ１３Ａ，Ｓ１５Ａの各々では、光源２１Ｒ，２１Ｇ，２１Ｂのいずれかのみを点灯させて、光出力Ｐを検出する処理としたが、これに限定されない。ステップＳ１１Ａ，Ｓ１３Ａ，Ｓ１５Ａの各々では、例えば、光源２１Ｒ，２１Ｇ，２１Ｂの全てを点灯させた状態で光出力Ｐを検出してもよい。
【０１２４】
また、ステップＳ１１Ａ，Ｓ１３Ａ，Ｓ１５Ａの処理では、光センサから得られた光出力をそのまま用いるようにしたがこれに限定されない。例えば、実施の形態１と同様、光センサ２８Ｒ，２８Ｇ，２８Ｂの各々は、検出した光出力（光の強度）に応じた周波数の矩形波を、マイコン２４へ送信するようにしてもよい。この場合、ステップＳ１１Ａ，Ｓ１３Ａ，Ｓ１５Ａの各々では、実施の形態１のステップＳ１１、Ｓ１３，Ｓ１５と同様、マイコン２４が矩形波の周波数から光出力を算出してもよい。
【０１２５】
ステップＳ２０では、実施の形態１と同様な処理が行われる。すなわち、マイコン２４は、各光源の光出力を確認した後、消灯中の光源（異常光源）の数を確認する。以下においては、プロジェクタ１０００Ａに含まれる光源２１Ｒ，２１Ｇ，２１Ｂのうち異常光源以外の光源を、正常光源ともいう。正常光源は、前述したように、正常に点灯している光源である。
【０１２６】
異常光源（消灯中の光源）の数が、１または２である場合、処理はステップＳ２１Ａに移行する。ステップＳ２１Ａの処理が行われる場合は、異常光源および正常光源が存在する場合である。
【０１２７】
ステップＳ２１Ａでは、まず、プロジェクタ１０００Ａが、ステップＳ２１と同様、正常光源が出射する光を利用して、スクリーン６０（画面）に警告メッセージを投写する。なお、警告メッセージは、オンスクリーンディスプレイ（ＯＳＤ）により、スクリーン６０に投写（表示）される。
【０１２８】
具体的には、マイコン２４が、正常光源が出射する光を利用して、スクリーン６０（画面）に警告メッセージを投写するよう、全ての正常光源と、各正常光源に対応する映像パネル４２を制御する。映像パネル４２（例えば、映像パネル４２Ｒ）は、マイコン２４の制御に応じて、警告メッセージを示す（通知する）映像を生成する。
【０１２９】
そして、マイコン２４は、スクリーン６０に警告メッセージを投写してから、一定時間経過後に、正常光源を消灯させる。一定時間は、例えば、ｔ分（例えば、１分）間である。すなわち、プロジェクタ１０００Ａが、実施の形態１の警告メッセージをスクリーン６０（画面）に投写してから一定時間経過後に、全ての正常光源を消灯させる（ステップＳ２４Ａ）。すなわち、プロジェクタ１０００Ａは、全光源を自動的に消灯させる。ステップＳ２１Ａ，Ｓ２４Ａにより、ｔ分間、警告メッセージがスクリーン６０に投写（表示）される。
【０１３０】
そして、マイコン２４は、プロジェクタ１０００Ａの動作状態を、前述のスタンバイ状態に設定する（ステップＳ２３）。すなわち、プロジェクタ１０００Ａは、スクリーン６０（画面）に警告メッセージが表示されてから一定時間経過後に自動的に残りの光源（正常光源）を消灯し、プロジェクタ１０００Ａの動作状態はスタンバイ状態に遷移する。そして、この光源制御処理Ａは終了する。
【０１３１】
なお、ステップＳ１１Ａ〜Ｓ１６Ａの処理により、消灯された光源の数（異常光源の数）が０である場合、実施の形態１と同様、前述のように、プロジェクタ１０００Ａの電源オンの状態が継続され、映像の投写が継続される（ステップＳ２２）。
【０１３２】
また、ステップＳ１１Ａ〜Ｓ１６Ａの処理により、異常光源（消灯中の光源）の数が３である場合、すなわち、全ての光源（光源２１Ｒ，２１Ｇ，２１Ｂ）が消灯された場合、マイコン２４は、実施の形態１と同様、プロジェクタ１０００Ａの動作状態を、前述のスタンバイ状態に設定する（ステップＳ２３）。そして、この光源制御処理Ａは終了する。
【０１３３】
なお、前述のステップＳ２１Ａの処理が行われるとともに、ＬＥＤインジケータ５０は、異常光源が存在する場合、実施の形態１と同様に光通知処理を行ってもよい。
【０１３４】
以上説明したように、本実施の形態によれば、実施の形態１の処理に加え、警告メッセージをスクリーン６０（画面）に投写してから一定時間経過後に、自動的に、正常光源を消灯させる。そして、プロジェクタ１０００Ａの動作状態をスタンバイ状態に設定する。そのため、実施の形態１と同様、ユーザは、光源に異常が発生したことを直観的に知ることができる。この場合、ユーザは、リモコン等を用いて、正常光源を消灯させる操作、すなわち、プロジェクタ１０００Ａの動作状態をスタンバイ状態に設定する操作を行う必要がないので、ユーザの利便性を向上させることができる。
【０１３５】
なお、本実施の形態では、実施の形態１と同様な処理も行われる。そのため、実施の形態１と同様に、プロジェクタ１０００Ａは、光源に異常が発生した旨を直観的に示すことができる。
【０１３６】
また、実施の形態１，２によれば、複数の光源のうちのいくつかの光源が異常状態になった場合においても、残りの光源（正常光源）で映像の投写を継続することができる。当該異常状態とは、失灯した状態、不点灯の状態である。そのため、異常状態を直観的に示すことができるプロジェクタが実現可能である。
【０１３７】
（その他の変形例）
以上、本発明に係るプロジェクタについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０１３８】
また、本発明に係るプロジェクタは、図１，３に示される全ての構成要素を含まなくてもよい。すなわち、プロジェクタ１０００，１０００Ａの各々は、本発明の効果を実現できる最小限の構成要素のみを含めばよい。
【０１３９】
また、本発明は、実施の形態１，２に係るプロジェクタが備える特徴的な構成部の動作をステップとする光源制御方法として実現してもよい。また、本発明は、そのような光源制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１４０】
上記実施の形態で用いた全ての数値は、本発明を具体的に説明するための一例の数値である。すなわち、本発明は、上記実施の形態で用いた各数値に制限されない。
【０１４１】
また、本発明に係る光源制御方法は、図２または図４における、処理の一部または全てに相当する。本発明に係る光源制御方法は、図２または図４における、対応する全てのステップを必ずしも含む必要はない。すなわち、本発明に係る光源制御方法は、本発明の効果を実現できる最小限のステップのみを含めばよい。
【０１４２】
また、光源制御方法における各ステップの実行される順序は、本発明を具体的に説明するための一例であり、上記以外の順序であってもよい。また、光源制御方法におけるステップの一部と、他のステップとは、互いに独立して並列に実行されてもよい。
【０１４３】
なお、実施の形態１，２に係るプロジェクタの各構成要素の一部は典型的には集積回路であるＬＳＩ（Large Scale Integration）として実現されてもよい。
【０１４４】
なお、本発明は、その発明の範囲内において、各実施の形態を自由に組み合わせたり、各実施の形態を適宜、変形、省略することが可能である。
【産業上の利用可能性】
【０１４５】
本発明は、光源に異常が発生した旨を直観的に示すことが可能なプロジェクタとして、利用することができる。
【符号の説明】
【０１４６】
５Ｂ，５Ｒ  ダイクロックミラー、７，３１Ｒ，３１Ｂ  ミラー、８，２８Ｒ，２８Ｇ，２８Ｂ  光センサ、９  ＤＭＤ、１０  蛍光体ホイール、１１  ＤＭＤ駆動部、１２  蛍光体ホイール駆動部、２１Ｂ，２１ＢＧ，２１Ｇ，２１Ｒ  光源、２４  マイコン、２５Ｒ，２５Ｇ，２５Ｂ  光学フィルタ、３０  投写レンズ、４０  ＬＣＤブロック、５０  ＬＥＤインジケータ、６０  スクリーン、１０００，１０００Ａ  プロジェクタ。
【図１】
2014059492.tif 000003
【図２】
2014059492.tif 000004
【図３】
2014059492.tif 000005
【図４】
2014059492.tif 000006